(57)【要約】【課題】横漏れしない女性用失禁パッドを提供する。【解決手段】女性用失禁パッド１において、液不透過性のバックシートと、吸収ポリマーを散在させた吸収体と、液透過性のトップシートとを下からこの順に重ねて形成し、吸収体側部に起立してポケットを形成する立体ギャザー６を備え、吸収体の立体ギャザー６内側近傍、かつ吸収体の使用面側に立体ギャザー６に沿ってエンボス加工Ｅ１〜Ｅ４を形成する。【選択図】図１
2005087655.tif 000002
【特許請求の範囲】
【請求項１】
液不透過性のバックシートと、吸収ポリマーを散在させた吸収体と、液透過性のトップシートとを下からこの順に重ねて形成し、前記吸収体側部に起立してポケットを形成する立体ギャザーを備えた女性用失禁パッドにおいて、
前記吸収体の前記立体ギャザー内側近傍、かつ前記吸収体の使用面側に前記立体ギャザーに沿ってエンボス加工が形成されていることを特徴とする女性用失禁パッド。
【請求項２】
前記エンボス加工が前記立体ギャザーの起立位置の内側１０ｍｍ以内の位置に形成されていることを特徴とする請求項１に記載の女性用失禁パッド。
【請求項３】
前記エンボス加工が前記吸収体の長手方向中心線から１０〜３０ｍｍの位置に形成されていることを特徴とする請求項１に記載の女性用失禁パッド。
【請求項４】
前記エンボス加工が前記立体ギャザーのポケットが形成されている部分よりも長く形成されていることを特徴とする請求項１に記載の女性用失禁パッド。
【請求項５】
前記エンボス加工は不連続に複数形成されていることを特徴とする請求項１に記載の女性用失禁パッド。
【請求項６】
前記トップシートと前記吸収体との間に液透過性のセカンドシートを備えることを特徴とする請求項１に記載の女性用失禁パッド。
【発明の詳細な説明】
【技術分野】
【０００１】
この発明は、液不透過性のバックシートと、吸収ポリマーを散在させた吸収体と、液透過性のトップシートとを下からこの順に重ねて形成し、吸収体側部に起立してポケットを形成する立体ギャザーを備えた女性用失禁パッドに関する。
【背景技術】
【０００２】
従来の女性用失禁パッドは、液不透過性バックシート、パルプ繊維及び高吸収性ポリマーを主材料とする吸収体、、液透過性トップシートとを備え、股間部に装着したときのよれ防止、フィット性の向上を主体とした技術が開示されている（例えば、特許文献１〜３）。
【特許文献１】特開平１０−９９３７２号公報
【特許文献２】特開平１１−７０１４１号公報
【特許文献３】特開２００２−６５６号公報
【発明の開示】
【発明が解決しようとする課題】
【０００３】
ところで、女性用失禁パッドは、尿を吸収するためのものであるため、多量の吸収ポリマーを散在させている。また、一度に放出される尿を失禁パッド全体で吸収するように、エンボス加工を設けて尿を失禁パッド全面に誘導して吸収するような工夫もされている。
【０００４】
したがって、立体ギャザー近傍にある失禁パッドの吸収体の吸収ポリマーまでもが多量の尿を吸収して立体ギャザー以上の高さにまで膨潤してしまうこともあり、次回の失禁時には、立体ギャザー近傍にあるこの膨潤した吸収体から立体ギャザーを乗越えて尿が外部に漏れ出していわゆる横漏れの原因となってしまうという問題があった。また、立体ギャザー以上の高さにまで膨潤しなくても、立体ギャザー付近で吸収体が厚く膨潤すると、立体ギャザーのポケットを塞いでしまう恐れがあり、やはり、横漏れの原因となるという問題もあった。
そこで、この発明の目的は、横漏れしない女性用失禁パッドを提供することにある。
【課題を解決するための手段】
【０００５】
このため、請求項１に記載の発明は、液不透過性のバックシートと、吸収ポリマーを散在させた吸収体と、液透過性のトップシートとを下からこの順に重ねて形成し、前記吸収体側部に起立してポケットを形成する立体ギャザーを備えた女性用失禁パッドにおいて、
前記吸収体の前記立体ギャザー内側近傍、かつ前記吸収体の使用面側に前記立体ギャザーに沿ってエンボス加工が形成されていることを特徴とする。
【０００６】
請求項１の発明によれば、吸収体の立体ギャザー内側近傍、かつ吸収体の使用面側に立体ギャザーに沿ってエンボス加工が形成されているので、尿を吸収した際に吸収ポリマーによる立体ギャザー近傍の吸収体の膨潤を抑制する。
【０００７】
請求項２の発明は、請求項１に記載の女性用失禁パッドにおいて、前記エンボス加工が前記立体ギャザーの起立位置の内側１０ｍｍ以内の位置に形成されていることを特徴とする。
【０００８】
請求項２の発明によれば、エンボス加工が立体ギャザーの起立位置の内側１０ｍｍ以内の位置に形成されているので、効率的に立体ギャザーのポケットを機能させることが可能となる。
【０００９】
請求項３の発明は、請求項１に記載の女性用失禁パッドにおいて、前記エンボス加工が前記吸収体の長手方向中心線から１０〜３０ｍｍの位置に形成されていることを特徴とする。
【００１０】
請求項３の発明によれば、エンボス加工が吸収体の長手方向中心線から１０〜３０ｍｍの位置に形成されているので、効率的に立体ギャザーのポケットを機能させることが可能となる。
【００１１】
請求項４の発明は、請求項１に記載の女性用失禁パッドにおいて、前記エンボス加工が前記立体ギャザーのポケットが形成されている部分よりも長く形成されていることを特徴とする。
【００１２】
請求項４の発明の発明によれば、エンボス加工が立体ギャザーのポケットが形成されている部分よりも長く形成されているので、立体ギャザー近傍の吸収体が尿を吸収して膨潤することを防止し、立体ギャザーのポケットで尿を確実に堰き止めることを可能とする。
【００１３】
請求項５の発明は、請求項１に記載の女性用失禁パッドにおいて、前記エンボス加工は不連続に複数形成されていることを特徴とする。
【００１４】
請求項５の発明の発明によれば、エンボス加工は不連続に複数形成されているので、製造時に女性用失禁パッドにエンボス加工を形成するために圧力を加えたときにも、エンボス部分が破れることがない。加えて、尿を吸収して吸収ポリマーが膨潤したときにもエンボス部分が破けることがない。
【００１５】
請求項６の発明は、請求項１に記載の女性用失禁パッドにおいて、前記トップシートと前記吸収体との間に液透過性のセカンドシートを備えることを特徴とする。
【００１６】
請求項６の発明の発明によれば、トップシートと吸収体との間に液透過性のセカンドシートを備えるので、吸収速度を早めることが可能となる。
【発明の効果】
【００１７】
請求項１に記載の発明によれば、吸収体の立体ギャザー内側近傍、かつ吸収体の使用面側に立体ギャザーに沿ってエンボス加工が形成されているので、尿を吸収した際に吸収ポリマーによる立体ギャザー近傍の吸収体の膨潤を抑制することができる。したがって、尿が立体ギャザーを乗越えて外部に漏れ出すことがなく、横漏れしない女性用失禁パッドを提供することができる。
【００１８】
請求項２に記載の発明によれば、エンボス加工が立体ギャザーの起立位置の内側１０ｍｍ以内の位置に形成されているので、立体ギャザーの起立位置近傍の膨潤を確実に抑制し、立体ギャザーのポケットを塞ぐことがなく、効率的に立体ギャザーのポケットを機能させることができる。
【００１９】
請求項３に記載の発明によれば、エンボス加工が吸収体の長手方向中心線から１０〜３０ｍｍの位置に形成されているので、効率的に立体ギャザーのポケットを機能させることができる。また、これまでの女性用失禁パッドでは、使用面側の排尿部に位置する部分は、吸収体の所定位置で吸収でき、排尿が集中する排尿部付近にフィットする吸収体が変則的に膨潤し、吸収体に傾斜がてきてしまい、着用者に違和感が生じていたが、エンボス加工が吸収体の長手方向中心線から１０〜３０ｍｍの位置に形成されているので、排尿が集中する排尿部付近の吸収体の変則的な膨潤を防止することができ、快適に着用することができる。
【００２０】
請求項４に記載の発明によれば、エンボス加工が立体ギャザーのポケットが形成されている部分よりも長く形成されているので、立体ギャザー近傍の吸収体が尿を吸収して膨潤することを防止し、立体ギャザーのポケットが尿を確実に堰き止めることができ、立体ギャザーのポケットを全域にわたって有効に使用することができる。
【００２１】
請求項５に記載の発明によれば、エンボス加工は不連続に複数形成されているので、製造時に女性用失禁パッドにエンボス加工を形成するために圧力を加えたときにも、エンボス部分の破れを防止することができる。加えて、尿を吸収して吸収ポリマーが膨潤したときにもエンボス部分の破れを防止し、良品率の高い女性用失禁パッドを提供することができる。
【００２２】
請求項６に記載の発明によれば、トップシートと吸収体との間に液透過性のセカンドシートを備えるので、吸収速度を早めることができる。加えて、液拡散性を有するセカンドシートとすると、吸収体全体に尿を拡散し、吸収体を均一に使用することができる。
【発明を実施するための最良の形態】
【００２３】
図１は、本発明の一実施例を示す女性用失禁パッドの平面図、図２は、そのＡ−Ａ断面図、図３は、図１に示す女性用失禁パッドのショーツへの装着状態を示す斜視図である。
【００２４】
図１に示す実施例の女性用失禁パッド１は、液不透過性のバックシート２と、パルプ繊維及び高吸収性を有するポリマーを散在させた吸収体３と、液透過性のトップシート４とを下からこの順に設ける。なお、吸収体３の周囲はティシュペーパー５で包む。また、吸収体３のトップシート１側には、液透過性、液拡散性のセカンドシート８を備える。そして、使用面側であるトップシート１上にエンボス加工Ｅ１〜Ｅ４が不連続に形成されている。なお、このエンボス加工Ｅ１〜Ｅ４の深さＤ１〜Ｄ４は、０．５〜５．０ｍｍに設ける。
【００２５】
また、吸収体３の側部には起立してポケットＰを形成する立体ギャザー６を備える。立体ギャザー６は、撥水性不織布などからなるギャザーシート６ａを折り返して糸ゴムなどの弾性部材７を３本伸張下でホットメルト接着剤などにより接着して形成される。したがって、女性用失禁パッド１を広げた状態では、通常、この弾性部材７によって、女性用失禁パッド１全体が使用面側に引っ張られて股間にフィットするよう孤を描いた状態となる。なお、周縁部Ｍにおいて、このギャザーシート６ａとバックシート２とが熱融着されるとともに別の形状のエンボスが形成されている。一方、トップシート４は吸収体３の下側に折り込まれてホットメルト接着剤などで接着される。さらに、バックシート２の裏面側には、女性用失禁パッド１をショーツなどに貼り付けて固定するために粘着剤を設ける。なおこの例では不図示の粘着テープなどが剥離紙をともなって設けられている。また、長手方向両側部にウイングのついた女性用失禁パッドの場合には、ウイングの部分のみに粘着剤を設けて、ショーツなどに貼り付けてもよい。
【００２６】
ところで、この発明の女性用失禁パッド１では、吸収体３の立体ギャザー６の内側近傍、かつ吸収体３の使用面側に立体ギャザー６に沿ってエンボス加工Ｅ１〜Ｅ４が形成されている。詳しくは、エンボス加工Ｅ１は、図１中、女性用失禁パッド１の中央より上側に左右の立体ギャザー６からそれぞれ間隔ｄの距離に長手方向中心線ＣＬ側に孤を描くようにして形成される。さらに詳しくは、立体ギャザー６の起立位置６ｂから間隔ｄは、内側１０ｍｍ以内の位置に形成されている。加えて、エンボス加工Ｅ１は、長手方向中心線ＣＬからｃ＝１０〜３０ｍｍの位置に形成されている。なお、エンボス加工Ｅ１は、長手方向中心線ＣＬからｃ＝１０〜３０ｍｍの位置に形成されなくてもよい。
【００２７】
また、エンボス加工Ｅ１，Ｅ２，Ｅ４は、立体ギャザー６の内側近傍に、立体ギャザー６のポケットＰが形成されている部分、すなわちポケット形成部分Ｌよりも長く形成されている。加えて、このエンボス加工Ｅ１，Ｅ２，Ｅ４は、不連続に形成されている。
【００２８】
トップシート４は、液透過性の不織布、織布、多孔性プラスチックフィルム等であり、その構成繊維は、ポリプロピレン、ポリエチレン、ポリエステル、ナイロン等の単・長繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００２９】
バックシート２は、例えば、ポリエチレン等の液不透過性フィルム、液体不透過性フィルムと不織布あるいは織布を貼り合わせた素材等である。より好ましくは、ムレを防止するために、液体を透過させない程度の多数の微孔を設けたポリエチレン製フィルムなどの外側に不織布、織布を貼り合わせた複合シートを用いると、透湿性や肌触り等を快適なものとすることができる。
【００３０】
吸収体３は、液状の排泄物を吸収して保持するためのものであり、綿状パルプ、高吸収性ポリマー（以後省略して、「ＳＡＰ」という。）、親水性シート等からなる。また、本発明において使用される吸収体１４は、従来のパンツ型紙おむつなどの吸収性物品において通常使用される公知の吸収性材料から作られている。
【００３１】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートであるティシュペーパー１５で包んで形成したものを使用することができる。また、必要に応じて綿状パルプに対して３〜６０重量％の熱融着性物質を混合して熱圧着してもよい。もしくは、ＳＡＰのみが親水性シートにより包まれているものでも良い。
【００３２】
綿状パルプとしては、化学パルプシートもしくは、機械パルプシートを粉砕機で解繊したものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜４００ｇ／ｍ2にされる。
【００３３】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００３４】
セカンドシート８は、トップシート１と同様の液透過性の不織布、織布、多孔性プラスチックフィルム等であり、その構成繊維は、ポリプロピレン、ポリエチレン、ポリエステル、ナイロン等の単・長繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００３５】
本実施例の女性用失禁パッド１を使用するには、バックシート２の裏面側に設けられた粘着テープの剥離紙を剥がした後、図３に示すように、ショーツＳの股下部ＳＭの適当に位置に貼着する。すると、立体ギャザー６が起立する。そして、着用者は、通常のショーツを着用するときと同様に、ショーツＳの胴回り部ＳＷより左右の足を入れて、右足を右脚回り部ＬＲより出して、左足を左脚回り部ＬＬより出してショーツＳを股間部まで引き上げる。すると、着用者の左右の脚の付け根部分に立体ギャザー６が起立状態でフィットし、尿漏れを起こしにくくなる。
【００３６】
次に、女性用失禁パッドの別の例を図４（ａ），（ｂ）に示す。これらの例では、前述の例と比べてエンボス加工Ｅ１〜Ｅ４の形状が異なるのみで、その他の構成は同じであるので説明を省略する。
【００３７】
これらの例においても、前述の例と同様に、エンボス加工Ｅ１は、図中、女性用失禁パッド１の中央より上側に形成され、立体ギャザー６の起立位置の内側１０ｍｍ以内の位置に形成されている。加えて、エンボス加工Ｅ１は、長手方向中心線ＣＬから１０〜３０ｍｍの位置に形成されている。また、エンボス加工Ｅ１，Ｅ２，Ｅ４は、立体ギャザー６の近傍に、立体ギャザー６のポケットＰが形成されているポケット形成部分Ｌよりも長く形成されている。
【００３８】
なお、上述の例ではトップシート４をバックシート２と吸収体３の裏側との間に巻き込んで固定したが、この発明はこれに限定されるものではなく、図５に示すように、ギャザーシート６ａにホットメルト接着剤などで固定してもよい。
【図面の簡単な説明】
【００３９】
【図１】この発明の女性用失禁パッドの一例を示す平面図である。
【図２】図１のＡ矢視断面図である。
【図３】この発明の女性用失禁パッドをショーツに装着した様子を示す斜視図である。
【図４】（ａ），（ｂ）は、このこの発明の女性用失禁パッドの別の例を示す概略平面図である。
【図５】この発明の女性用失禁パッドの別の例を示す断面図である。
【符号の説明】
【００４０】
１    女性用失禁パッド
２    バックシート
３    吸収体
４    トップシート
５    ティシュペーパー
６    立体ギャザー
６ａ    ギャザーシート
６ｂ    起立位置
７    弾性部材
ｃ，ｄ    間隔
ＣＬ    長手方向中心線
Ｅ１、Ｅ２，Ｅ３，Ｅ４    エンボス加工
Ｌ    ポケット形成部分
ＬＬ    左脚回り部
ＬＲ    右脚回り部
Ｍ    周縁部
Ｐ    ポケット
Ｓ    ショーツ
ＳＭ    股下部
【図１】
2005087655.tif 000003
【図２】
2005087655.tif 000004
【図３】
2005087655.tif 000005
【図４】
2005087655.tif 000006
【図５】
2005087655.tif 000007